(57)【要約】【課題】画面を切り替えることなしにラジエターの形状諸元（パラメータ）を入力するだけで放熱性能を即座にかつ理解し易く確認できるようにする。【解決手段】ラジエター３０の形状諸元入力部５４Ａ、５４Ｂと形状表示部５６、及び計算結果をグラフとして表示するグラフ表示部６４を表示装置の同一画面５０Ａ上に表示するようにしている。ラジエター３０の形状諸元（パラメータ）を入力するだけで、画面を切り替えることなしに、ラジエター形状の模式図と放熱性能（降下温度特性６６と放熱量特性６８特性）結果をグラフで同時に見ることができる。【選択図】図４
2005190180.tif 000002
【特許請求の範囲】
【請求項１】
車両用ラジエターの放熱性能を計算し、計算結果を表示装置の画面に表示するコンピュータによるラジエター放熱シミュレーション・システムであって、
前記ラジエターの形状諸元を入力する形状諸元入力部と、
入力された形状諸元に基づきコンピュータにより計算されたラジエターの幾何学的形状を表示する形状表示部と、
前記車両の環境条件を設定して入力する環境条件入力部と、
入力された形状諸元及び環境条件に基づきコンピュータによりラジエターの放熱性能を計算し、計算結果をグラフとして表示するグラフ表示部と
を備え、前記形状諸元入力部、前記形状表示部、前記環境条件入力部、及び前記グラフ表示部を前記表示装置の同一画面上に表示した
ことを特徴とするラジエター放熱シミュレーション・システム。
【請求項２】
請求項１記載のラジエター放熱シミュレーション・システムにおいて、
前記形状諸元入力部と前記形状表示部と前記環境条件入力部を有する入力系画面と、前記グラフ表示部とが前記表示装置の前記同一画面上に左右に分割して表示されている
ことを特徴とするラジエター放熱シミュレーション・システム。
【請求項３】
請求項１記載のラジエター放熱シミュレーション・システムにおいて、
前記ラジエターの形状諸元は、ラジエターを構成する冷却管の段数、冷却管の断面の形状、及びラジエター外形形状を台形としたときの上底と、下底であり、
前記車両の環境条件は、前記車両の車速に対応した風速と外気温度である
ことを特徴とするラジエター放熱シミュレーション・システム。
【請求項４】
請求項１記載のラジエター放熱シミュレーション・システムにおいて、
前記形状諸元入力部では、さらに、前記ラジエターの冷却ファンの形状諸元が入力され、
前記形状表示部には、さらに、前記冷却ファンの幾何学的形状が表示される
ことを特徴とするラジエター放熱シミュレーション・システム。
【発明の詳細な説明】
【技術分野】
【０００１】
この発明は、車両用ラジエターの放熱性能を計算し、計算結果を表示装置の画面に表示するコンピュータによるラジエター放熱シミュレーション・システムに関する。
【背景技術】
【０００２】
水冷式エンジンを搭載した車両のラジエターの放熱性能を予測する場合、ラジエターを構成する冷却管（金属管）の管路内を流れる冷却水から金属管内壁への熱伝達率、金属管内壁から金属管外壁までの熱伝達率、及び金属管外壁から外気への熱伝達率の合成熱伝達率が考慮される。また、水から金属管内壁への熱伝達率には、水の流速を考慮する必要がある。さらに、この冷却管の熱伝達率に加え、冷却管の長さ、ラジエターを構成する冷却管の段数、さらには、風速等が冷却性能に影響を与えることが考慮され、ラジエターの性能が予測される。
【０００３】
すなわち、ラジエターの形状諸元及び冷却管の構造等のパラメータを変数として、ラジエターの放熱性能、例えば放熱量を、関数値（予測値）として計算式により計算する。
【０００４】
そこで、従来、水冷式エンジンを搭載した車両のラジエターの放熱性能を予測する場合には、電卓を使用した手計算や表計算ソフト、あるいはこれらの拡張機能（マクロ）を使用し、各種計算式に、変数を代入して予測値を求めている。
【０００５】
なお、車両のラジエターの放熱シミュレーションではないが、電気回路解析のシミュレーションについて、スーパーコンピュータで計算した内容をグラフィックディスプレイに表示する技術が提案されている（特許文献１参照）。
【０００６】
【特許文献１】特開昭６０−７５５０号公報（第３図）
【発明の開示】
【発明が解決しようとする課題】
【０００７】
上述したように、従来の水冷式エンジンを搭載した車両のラジエターの放熱性能を予測する場合、キーボードから数値入力を行い、数値出力を読み取るという入力作業と結果把握作業が煩雑であるという問題がある。
【０００８】
また、ラジエター形状は寸法諸元を数値で入力するだけであるので、ラジエターの形状を直感的にイメージすることができないため、計算から得られた結果と形状との因果関係を直感的に把握することもきわめて困難であるという問題がある。
【０００９】
この発明はこのような課題を考慮してなされたものであり、ラジエターの形状と放熱性能の関係を直感的に把握することを可能とするラジエター放熱シミュレーション・システムを提供することを目的とする。
【課題を解決するための手段】
【００１０】
この発明のラジエター放熱シミュレーション・システムは、車両用ラジエターの放熱性能を計算し、計算結果を表示装置の画面に表示するコンピュータによるラジエター放熱シミュレーション・システムであって、前記ラジエターの形状諸元を入力する形状諸元入力部と、入力された形状諸元に基づきコンピュータにより計算されたラジエターの幾何学的形状を表示する形状表示部と、前記車両の環境条件を設定して入力する環境条件入力部と、入力された形状諸元及び環境条件に基づきコンピュータによりラジエターの放熱性能を計算し、計算結果をグラフとして表示するグラフ表示部とを備え、前記形状諸元入力部、前記形状表示部、前記環境条件入力部、及び前記グラフ表示部を前記表示装置の同一画面上に表示したことを特徴とする（請求項１記載の発明）。
【００１１】
この発明によれば、ラジエターの形状諸元入力部と形状表示部、車両の環境条件入力部、及び計算結果をグラフとして表示するグラフ表示部を表示装置の同一画面上に表示するようにしたので、ラジエターの形状諸元を入力するだけで、画面を切り替えることなしに、ラジエター形状の図と放熱性能（特性）結果をグラフで同時に見ることができる（煩雑な画面切替が不要である。）。すなわち、形状の変更とその影響（放熱性能結果）が、ビジュアルかつ即座に同一画面上に表示されるため、ラジエターの形状と放熱性能の関係を直感的に把握することができる。
【００１２】
なお、計算結果をグラフとして表示する際に、グラフ表示とともに、数値結果をグラフ表示部（グラフ・数値結果表示部）に同時に表示することもできる。
【００１３】
この場合、前記形状諸元入力部と前記形状表示部と前記環境条件入力部を有する入力系画面と、前記グラフ表示部とを前記表示装置の前記同一画面上に左右に分割して表示するようにすることで、出力結果の把握が容易である。すなわち、画面が入力系と出力系に２分割されているために見易い（請求項２記載の発明）。
【００１４】
ここで、前記ラジエターの形状諸元は、ラジエターを構成する冷却管の段数、冷却管の断面の形状、及びラジエター外形形状を台形としたときの上底と、下底とし、前記車両の環境条件は、前記車両の車速に対応した風速と外気温度とすることで、主要な諸元（パラメータ）の変更と形状の変更で放熱性能の予測が可能となる（請求項３記載の発明）。
【００１５】
なお、冷却ファンを取り付けることが必要なラジエターの場合には、前記形状諸元入力部では、さらに、前記ラジエターの冷却ファンの形状諸元が入力され、前記形状表示部には、さらに、前記冷却ファンの幾何学的形状が表示されるようにすることで、冷却ファンが取り付けられたラジエターの形状と放熱性能の関係を直感的に把握することができる（請求項４記載の発明）。
【発明の効果】
【００１６】
この発明によれば、ラジエターの形状諸元入力部と、この形状諸元に基づくラジエターの形状表示部と、放熱性能結果のグラフ表示部を同一画面上に表示するようにしているので、ラジエターの形状と放熱性能の関係を直感的に把握することができる。
【発明を実施するための最良の形態】
【００１７】
以下、この発明の実施形態について図面を参照して説明する。
【００１８】
図１は、この発明の一実施形態のラジエター放熱シミュレーション・システムが適用されたラジエター放熱シミュレーション装置１０の構成を示している。図１から分かるように、このラジエター放熱シミュレーション装置１０は、パーソナルコンピュータ等により構成され、基本的には、キーボード、マウス等を含む入力装置１４と、ＣＲＴ表示装置あるいは液晶表示装置等の表示装置１６と、これらに接続されるコンピュータ本体１８とから構成されている。
【００１９】
コンピュータ本体１８は、計算機であり、それぞれ図示していないＣＰＵ（中央処理装置）、メモリであるＲＯＭ（ＥＥＰＲＯＭも含む。）、ＲＡＭ（ランダムアクセスメモリ）あるいはＨＤＤ（ハードディスクドライブ）、その他、入出力装置、計時手段としてのタイマ等を有しており、制御部、演算部、処理部等として機能する。なお、ＲＯＭあるいはＨＤＤには、計算実行時にＣＰＵがＲＡＭに読み込んで実行するプログラムが記憶されており、図１のコンピュータ本体１８のブロック図内に、ＣＰＵ（コンピュータ）が実行するプログラムの機能ブロックを示している。
【００２０】
すなわち、コンピュータ本体１８は、入力装置１４による操作入力をデータに変換して出力する入力処理部２０と、入力データに基づきラジエターの幾何学的形状を計算する幾何学的形状計算部２２と、入力データに基づきラジエターの放熱性能を計算する放熱性能計算部２４と、入力データ及び幾何学的形状計算部２２と放熱性能計算部２４の計算結果に基づき表示画面用の映像信号を作成する表示処理部２６とから構成されている。
【００２１】
図２Ａ、図２Ｂは、車両、たとえば自動二輪車に搭載されるラジエター３０の模式図を示しており、ラジエター３０は、内部を冷却水が流れる冷却管３２と、放熱効率を上げるフィン３４との層構造になっている。ラジエター３０は、例えば走行風３６が当たる正面からみて台形（四角形も含む）に見える。このラジエター３０は、図示していない水ポンプに接続されている。そして、水ポンプにより水の入力口４０から供給され冷却管３２内を流れる水が、外気温、走行風３６、冷却管３２、フィン３４あるいはクーリングファン（不図示）により冷却されて、水の出力口３８から出力される。出力口３８から出力された水が、水ポンプを通じエンジン（不図示）のジャケット内を流通してエンジンを冷却し、エンジンの熱を奪った水が水の入力口４０からラジエター３０内にもどされるように構成されている。
【００２２】
図１の放熱性能計算部２４には、ｘを冷却管３２の長さ方向の任意の位置、水の温度をＴ（ｘ）、外気温をＴａとしたときの計算式が格納されている。この計算式は、微分方程式であり、次の（１）式で表される。
ｄＴ／ｄｘ＝−（Ｔ−Ｔａ）Ｋ／ｕ−（Ｔ4−Ｔａ4）Ｍ／ｕ    …（１）
【００２３】
ここで、ｕは水の流速、Ｋは水から冷却管３２の外壁（空気との接触壁）までの熱伝達に寄与する定数（冷却管の形状、合成熱伝達係数等により決定される。）、Ｍは冷却管３２の外壁からの熱放射に寄与する定数（冷却管の形状、ステファンボルツマン定数等により決定される。）である。なお、この微分方程式の定数は、種々の実験により決定される。
【００２４】
図３は、表示装置１６の画面５０を示している。
【００２５】
画面５０は、基本的には、向かって左側半分の入力系画面５２と、向かって右側半分の出力系画面５４とからなる一画面で構成されている。
【００２６】
入力系画面５２は、入力装置１４から入力され入力処理部２０によって処理される、ラジエター３０の形状諸元（パラメータ）を入力する形状諸元入力部５４Ａ、５４Ｂと、入力された形状諸元に基づき幾何学的形状計算部２２によって計算されたラジエターの幾何学的形状を表示する形状表示部５６と、入力装置１４から入力され入力処理部２０によって処理される、車両の環境条件を設定して入力する環境条件入力部５７と、各冷却管３２を流れる流速Ｕｍと流速分布を設定し入力する流速入力部５８とから構成されている。なお、実際上、形状表示部５６に表示されたラジエター３０中、冷却管３２の図の中に、流速Ｕｍを矢印の長さで表示しているが煩雑となるので、図３では省略している。
【００２７】
画面５０上、左上側角部に設けられている形状諸元入力部５４Ａは、冷却管３２の管断面形状の幅ｗ（例として、「２４．０」［ｍｍ］が入力されている。）、高さｈ（例として、「２．０」［ｍｍ］が入力されている。）及び肉厚ｔ（例として、「０．３」［ｍｍ］が入力されている。）を、マウス、キーボード等の入力装置１４を使用してユーザが入力する画面である。
【００２８】
また、画面５０上、左下側に設けられている形状諸元入力部５４Ｂは、マウスポインタにより左クリックしてドラッグすることにより、値の変更可能なスライダ５９を含む画面とされており、ラジエター３０の正面外形形状を台形としたときの、上底の長さＬ１（例として、「０．１５２」［ｍ］が入力されている。）、下底の長さＬ２（例として、「０．０９２」「ｍ」が入力されている。）、冷却管３２の段数Ｎ（例として、「２５」［段］が入力されている。）、及び縮小・拡大率（例として、「１．３」［倍］が入力されている。）を、マウス等の入力装置１４を使用してユーザが入力する画面である。
【００２９】
さらに、画面５０上、同様に、左下側に設けられている環境条件入力部５７は、マウスポインタにより左クリックしてドラッグすることにより、値の変更可能なスライダ５９を含む画面とされており、外気温度Ｔａ（例として、「１０［℃］」が入力されている。）と車速に対応した風速Ｕ（例として、車速２８．８［ｋｍ］に対応した「８．０［ｍ／ｓ］」が入力されている。）を、マウス等の入力装置１４を使用してユーザが入力する画面である。
【００３０】
また、画面５０上、左中央上部側に設けられている流速入力部５８は、マウスポインタにより左クリックしてドラッグすることにより、値（偏差）の変更可能なスライダ５９を含む画面とされており、全冷却管３２内の冷却水が、均一流速か、偏差を持って冷却管３２毎に徐々に変化する非均一流速（相対的にラジエター３０の上側が速くて下側が遅い、あるいはその逆）かの流速分布を、マウス等の入力装置１４を使用してユーザが入力する画面である。なお、基準流速Ｕｍは、キーボード等の入力装置１４を用いて入力することができる（例として、Ｕｍ＝０．９６［ｍ／ｓ］が入力されている。）。また、画面右下のフィンの有無ボタン（フィンの有無入力部）６０は、フィンを取り付けるかどうかに応じて「フィン有」と「フィン無」を切り替える画面であり、デフォルトで「フィン有」とされている。さらに、画面上、フィンの有無入力部６０の下側には、ラジエター３０に対して冷却ファンを取り付けるかどうかに応じて冷却ファン「有」りと冷却ファン「無」しを切り換える画面である冷却ファンの有無ボタン（冷却ファンの有無入力部）６１が設けられている。デフォルトで冷却ファン「無」しとされている。
【００３１】
入力装置１４を用い、形状諸元入力部５４Ａ、５４Ｂ上で、冷却管３２の管断面形状の幅ｗ、高さｈ、肉厚ｔ、上底の長さＬ１、下底の長さＬ２、冷却管３２の段数Ｎ、及び縮小・拡大率を入力すると、入力処理部２０は、これらの入力データを幾何学的形状計算部２２に供給する。
【００３２】
幾何学的形状計算部２２は、入力データに基づき、入力データに対応した形状かつ段数を有するラジエター３０の形状を計算し、表示処理部２６に送る。
【００３３】
表示処理部２６は、幾何学的形状計算部２２からの計算結果及び入力処理部２０からの各種入力データに基づき、画面５０上、左側の中央部に入力データに対応した形状かつ段数を有するラジエター表示用の映像信号を作成して表示装置１６に送る。
【００３４】
表示装置１６は、表示用の映像信号に基づき、図３に示した主に左側の入力系画面５２が表示された画面５０を表示する。
【００３５】
左側半分に表示されるラジエター３０の幾何学的形状設定とその表示を行う画面での設定の終了後に、計算開始ボタン６２をマウス等の入力装置１４により押す（クリックする。）。この操作により、放熱性能計算部２４が、前記の入力データを参照し、予め記憶されている上述した数式に基づき放熱性能を計算する。この実施形態では、放熱性能として、降下温度特性と放熱量特性を計算する。計算結果を表示処理部２６に送ることで、表示装置１６の右側の出力系画面５４上の降下温度特性表示部６４Ａと放熱量特性表示部６４Ｂからなるグラフ表示部（グラフ・数値結果表示部あるいは結果表示部ともいう。）６４に表示がなされる。
【００３６】
図４は、放熱性能計算部２４により計算された降下温度特性６６と放熱量特性６８とがグラフ表示部６４に表示された画面５０Ａを示している。画面５０Ａの右下側に表示された降下温度特性６６は、横軸が流量Ｑ［Ｌ／ｍｉｎ］、縦軸がラジエター３０の入出力口４０、３８間の冷却水の降下温度ΔＴ［Ｋ］を示している。
【００３７】
また、画面５０Ａの右上側に表示された放熱量特性６８は、横軸が流量Ｑ［Ｌ／ｍｉｎ］、縦軸が放熱量Ｈ［ｋＷ］を示している。
【００３８】
このとき、横軸の流量Ｑの流量表示窓７０にフルスケールが表示される（例としてフルスケール流量（横軸最大流量）Ｘ＝１００［Ｌ／ｍ］が表示されている。）。なお、フルスケール流量Ｘは、スライダ７２により調整可能である。
【００３９】
また、降下温度特性６６のフルスケール（縦軸フルスケール）は、表示窓７４の表示により、例として１６［Ｋ］になっているが、スライダ７６により変更可能である。
【００４０】
さらに、放熱量特性６８のフルスケール（縦軸フルスケール）は、表示窓７８の表示により、例として２８．０［ｋＷ］になっているが、スライダ８０により変更可能である。
【００４１】
さらにまた、降下温度特性６６及び放熱量特性６８中の、ある流量Ｑに対応する降下温度ΔＴ及び放熱量Ｈの数値による結果を読み取るために、降下温度特性６６及び放熱量特性６８上に沿って移動する赤い色の十字カーソル８２、８４が表示されている。
【００４２】
スライダ８６を左右に動かすことにより、十字カーソル８２、８４は、降下温度特性６６及び放熱量特性６８のグラフの曲線に沿って同方向に移動する。このとき、十字カーソル８２、８４と、降下温度特性６６及び放熱量特性６８との交点の値、すなわち数値結果として、数値結果表示部としての流量表示窓８８に横軸の流量Ｑが表示され（例として、Ｑ＝４７．１［Ｌ／ｍｉｎ］が表示されている。）、同様に、数値結果表示部としての降下温度表示窓９０に降下温度ΔＴが表示され（例として、ΔＴ＝７．５３［Ｋ］が表示されている。）、さらに放熱量表示窓９２に放熱量Ｈが表示される（例として、Ｈ＝２４．２５［ｋＷ］が表示されている。）。
【００４３】
この場合、左半分の入力系画面５２上の形状諸元入力部５４Ａ、５４Ｂでラジエター３０の形状を変更して（形状を再入力して）、計算開始ボタン６２を再度押すことで、降下温度特性６６及び放熱量特性６８のグラフが重ねて表示される。消去ボタン９４を押すことで、図３に示したグラフ表示前の画面５０にもどる。
【００４４】
このように、上述した実施形態は、図５に示すフローチャートをも参照して説明すれば、車両用のラジエター３０の放熱性能（この実施形態では、放熱量特性６８と降下温度特性６６）を計算し、計算結果を表示装置１６の画面５０、５０Ａに表示するコンピュータによるラジエター放熱シミュレーション・システムであって、ラジエター３０の形状諸元を入力する（ステップＳ１）形状諸元入力部５４Ａ、５４Ｂと、入力された形状諸元に基づきコンピュータ（幾何学的形状計算部２２）により計算されたラジエター３０の幾何学的形状を表示する（ステップＳ２）形状表示部５６と、車両の環境条件を設定して入力する（ステップＳ３）環境条件入力部５７と、入力された形状諸元及び環境条件に基づきコンピュータによりラジエターの放熱性能を計算し（ステップＳ４）、計算結果をグラフ及び数値結果として表示する（ステップＳ５）グラフ表示部６４とを備え、形状諸元入力部５４Ａ、５４Ｂ、形状表示部５６、環境条件入力部５７、及びグラフ表示部６４を表示装置１６の同一画面５０、５０Ａ上に表示している。
【００４５】
ラジエター３０の形状諸元入力部５４Ａ、５４Ｂと形状表示部５６、車両の環境条件入力部５７、及び計算結果をグラフとして表示するグラフ表示部６４を表示装置１６の同一画面５０、５０Ａ上に表示するようにしたので、ラジエター３０の形状諸元を入力するだけで、画面を切り替えることなしに、ラジエター形状の模式図と放熱性能（特性）結果をグラフで同時に見ることができる。すなわち、形状の変更とその影響（放熱性能結果）が、ビジュアルかつ即座に同一画面５０、５０Ａ上に表示されるため、ラジエター３０の形状と放熱性能の関係を直感的に把握することができる。
【００４６】
なお、入力装置１４の操作により、降下温度特性６６と放熱量特性６８のグラフに沿って移動させることが可能な十字カーソル８２、８４により（ステップＳ６）、特定の流量（注目流量）Ｑに対応する数値結果である降下温度ΔＴ及び放熱量Ｈを読み取ることができる（ステップＳ７）ので、所望の結果が得られたかどうかを簡易に確認することができ、所望の結果が得られなかった場合には（ステップＳ８）、上記のステップＳ１〜Ｓ７の操作を、所望の結果が得られるまで繰り返せばよい。
【００４７】
この場合、画面５０、５０Ａから理解されるように、形状諸元入力部５４Ａ、５４Ｂと形状表示部５６と環境条件入力部５７を有する入力系画面５２と、グラフ表示部６４とを表示装置１６の同一画面５０、５０Ａ上に左右に分割して表示するようにしているので、出力結果の把握が容易である。すなわち、画面５０、５０Ａが入力系と出力系に２分割されているために見易い。
【００４８】
ここで、ラジエター３０の形状諸元は、ラジエター３０を構成する冷却管３２の段数Ｎ、冷却管３２の断面の形状、及びラジエター３０の外形形状を台形としたときの上底と、下底とし、車両の環境条件は、車両の車速に対応した風速Ｕと外気温度Ｔａとすることで、主要な諸元（パラメータ）の変更と形状の変更で放熱性能の予測が可能になるという効果が達成される。
【００４９】
なお、計算結果等からラジエター３０に対して冷却ファンを取り付けることが必要であると判断した場合には、上述したステップＳ１におけるラジエター３０の形状諸元の入力工程において、冷却ファンの有無ボタン６１を、冷却ファン「有」に切り換えて、冷却ファンの諸元形状を入力する。
【００５０】
図６は、冷却ファン「有」に切り換えた場合の表示装置１６の入力画面５０Ｂの説明図である。
【００５１】
この画面５０Ｂでは、冷却ファンの寸法入力と変更、位置入力と変更、及び個数入力と変更が可能な冷却ファンの形状諸元入力部５４Ｃが表示され、さらに、スライダ９６により風速（画面上８．０［ｍ／ｓ］と表示されている。）の変更が可能な冷却ファンのファン風速入力部９８が表示される。
【００５２】
この場合、画面５０Ｂ上、形状表示部５６には、幾何学的形状計算部２２によりステップＳ２で計算された２つの冷却ファン１０１、１０２の幾何学的形状とともに、この冷却ファン１０１、１０２の取り付けられたラジエター３０の幾何学的形状が表示される。
【００５３】
ここでは、冷却ファンの形状諸元入力部５４Ｃの表示から、２つの冷却ファン１０１、１０２を使用することが分かり、現在、冷却ファン１０２の形状の調整中であることが分かる。冷却ファン１０２は、それぞれスライダ１０４で変更可能な例として、外半径が「８４」［ｍｍ］、ハブ半径が「２６」［ｍｍ］、中心座標Ｘが「３２５」［ｍｍ］、中心座標Ｙが「１４９」になっている。閉じるボタン１０６を押すことで、冷却ファンの形状諸元入力部５４Ｃの表示を消去することができ、冷却ファンの有無ボタン６１を、再度、冷却ファン「有」と設定することで表示が現れる。実際上、冷却ファンの形状諸元入力部５４Ｃは、グラフ表示部６４に上書きで表示される。
【００５４】
この状態において、計算開始ボタン６２押すことにより、放熱性能計算部２４が、設定された冷却ファン１０１、１０２の放熱性能を計算し（ステップＳ４）、新たな計算結果を、図５と同様に、降下温度特性６６と放熱量特性６８としてグラフ表示部６４に表示する（ステップＳ５）。
【００５５】
なお、この発明は、上述の実施形態に限らず、この明細書の記載内容に基づき、例えば、放熱シミュレーションが実行されるラジエターの外形形状を台形ではなく、かまぼこ型等の他、非対象形状にする等、実際に、水冷式エンジン等を搭載する車両等に合わせた任意の形状にする等、システムを拡張することが容易であり、種々の構成を採り得ることができる。
【図面の簡単な説明】
【００５６】
【図１】図１は、この発明の一実施形態のラジエター放熱シミュレーション・システムが適用されたラジエター放熱シミュレーション装置のブロック図である。
【図２】図２Ａは、一般的なラジエターの模式的斜視図、  図２Ｂは、一般的なラジエターの模式的断面図である。
【図３】図３は、表示装置の入力系画面の説明図である。
【図４】図４は、表示装置の入力系画面及び出力系画面の説明図である。
【図５】この実施形態にかかるシミュレーション工程のフローチャートである。
【図６】図６は、冷却ファン有りに切り換えた場合の表示装置の入力画面の説明図である。
【符号の説明】
【００５７】
１０…ラジエター放熱シミュレーション装置
１４…入力装置                  １６…表示装置
１８…コンピュータ本体          ２０…入力処理部
２２…幾何学的形状計算部        ２４…放熱性能計算部
２６…表示処理部                ３０…ラジエター
３２…冷却管                    ３４…フィン
５０、５０Ａ、５０Ｂ…画面      ５２…入力系画面
５４…出力系画面                ５４Ａ、５４Ｂ、５４Ｃ…形状諸元入力部
５６…形状表示部                ５７…環境条件入力部
６１…冷却ファンの有無入力部    ６２…計算開始ボタン
６４…グラフ表示部              ６４Ａ…降下温度特性表示部
６４Ｂ…放熱量特性表示部        ６６…降下温度特性
６８…放熱量特性                ８２、８４…十字カーソル
１０１、１０２…冷却ファン
【図１】
2005190180.tif 000003
【図２】
2005190180.tif 000004
【図３】
2005190180.tif 000005
【図４】
2005190180.tif 000006
【図５】
2005190180.tif 000007
【図６】
2005190180.tif 000008